(57)【要約】【課題】内部で詰まったシートを容易に取出可能な装置を提供する。【解決手段】当該装置は、記録用紙１２が搬送される搬送路６５の一部を形成する内側ガイド部材１９と、内側ガイド部材１９と対向して配置された外側ガイド部材１８と、搬送路６５に配置されたピンチローラ６１及び搬送ローラ６０を有し且つピンチローラ６１が搬送ローラ６０を押圧する第１状態及びピンチローラ６１が搬送ローラ６０から離間した第２状態に状態変化可能な搬送ローラ対５９と、搬送ローラ対５９を第１状態とする第１位置及び第２状態とする第２位置の間で移動可能な可動部材９０とを備える。可動部材９０は、ピンチローラ６１と当接して、搬送ローラ対５９を状態変化させる当接部９３と、第１位置（図７（Ａ））で内側ガイド部材１９の一部を形成しており、第２位置（図７（Ｂ））で第１位置のときよりも外側ガイド部材１８から離間するガイド部９１とを備える。【選択図】図７
2014156325.tif 000002
【特許請求の範囲】
【請求項１】
シートが搬送される搬送路の少なくとも一部を形成する第１ガイド部材と、
上記第１ガイド部材と対向して配置されており、上記搬送路の少なくとも一部を形成する第２ガイド部材と、
上記搬送路に配置されており、シートを挟持して搬送するローラ対であって、当該ローラ対を構成するローラの一方が他方を押圧する第１状態、及び上記ローラの一方の他方に対する押圧力が上記第１状態のときよりも小さいまたは上記ローラの一方が他方から離間している第２状態に状態変化可能なローラ対を有する搬送部と、
上記ローラ対を上記第１状態とする第１位置、及び上記ローラ対を上記第２状態とする第２位置の間で移動可能な可動部材と、を備え、
上記可動部材は、
上記搬送部と当接して、上記ローラ対を上記第１状態及び上記第２状態に状態変化させる当接部と、
上記第１位置において上記第１ガイド部材の少なくとも一部を形成しており、上記第２位置において上記第１位置のときよりも上記第２ガイド部材から離間するガイド部と、を備える搬送装置。
【請求項２】
上記当接部は、上記搬送部のうち上記ローラの一方と当接して、上記ローラ対を上記第１状態及び上記第２状態に状態変化させる請求項１に記載の搬送装置。
【請求項３】
上記第１ガイド部材は、湾曲した上記搬送路の湾曲内側を形成しており、
上記第２ガイド部材は、湾曲した上記搬送路の湾曲外側を形成しており、上記第１ガイド部材とともに上記搬送路を形成する第３位置、及び上記第３位置よりも上記第１ガイド部材から離間している第４位置に移動可能である請求項１または２に記載の搬送装置。
【請求項４】
上記第２ガイド部材は、上記第４位置において上記搬送路を開放可能である請求項３に記載の搬送装置。
【請求項５】
上記ガイド部は、シートの搬送向きと直交する幅方向における上記第１ガイド部材の両端部を形成している請求項１から４のいずれかに記載の搬送装置。
【請求項６】
上記当接部は、上記可動部材の移動方向と交差する傾斜面を有する請求項１から５のいずれかに記載の搬送装置。
【請求項７】
請求項１から６のいずれかに記載の搬送装置と、
上記搬送路を搬送されるシートに画像を記録する記録部と、
上記記録部を支持する支持フレームと、
上記支持フレームの下方にシートの搬送向きと直交する幅方向において対向して設けられており、上記支持フレームを支持する一対のサイドフレームと、
上記サイドフレームの下方に設けられており、上記サイドフレームを支持するメインフレームと、を備え、
上記可動部材は、上面を上記支持フレームによって位置決めされ、側面を上記サイドフレームによって位置決めされ、下面を上記メインフレームによって位置決めされ、上記メインフレームに沿って移動する画像記録装置。
【請求項８】
上記サイドフレーム及び上記メインフレームは、上記幅方向における上記ガイド部と同位置において締結手段によって固定されている請求項７に記載の画像記録装置。
【請求項９】
上記ローラ対は、上記搬送路に沿って複数配置されており、
上記可動部材は、複数の上記ローラ対のそれぞれを上記第１状態及び上記第２状態に状態変化させるものである請求項７または８に記載の画像記録装置。
【請求項１０】
上記搬送路へ給送されるシートを支持し且つ当該画像記録装置に対して挿抜可能なトレイと、
上記トレイを収容可能な収容部と、
当該画像記録装置の外部から上記収容部へ通じる開口と、を更に備え、
上記可動部材は、
移動方向における上記開口側の端部に上記収容部に対して露出された状態で設けられ且つ移動のために上記開口からアクセスされて把持される把持部を備える請求項７から９のいずれかに記載の画像記録装置。
【発明の詳細な説明】
【技術分野】
【０００１】
本発明は、シートを挟持して搬送するローラ対を備えた搬送装置のうち、ローラ対のうち一方のローラを他方のローラから接離させたり、ローラ対のニップ圧を変更したりすることが可能な搬送装置、及び当該搬送装置を備えておりシートに画像を記録する画像記録装置に関する。
【背景技術】
【０００２】
搬送装置において、ローラ対に挟持された状態で搬送路に詰まったシートを外部から取り出しやすくするために、ローラ対を構成するローラの一方を他方から離間させる或いはローラ対のニップ圧を小さくするものが知られている。これにより、画像記録装置のユーザは、詰まったシートを容易に取り出すことができる。
【０００３】
上記のような画像記録装置の一例として、特許文献１には、リアカバーを閉じるとサブローラをプラテンローラに対して加圧し、リアカバーを開くとサブローラをプラテンローラから開放するリンク機構を備えたプリンタが開示されている。
【先行技術文献】
【特許文献】
【０００４】
【特許文献１】特開平６−９０９８号公報
【発明の概要】
【発明が解決しようとする課題】
【０００５】
しかしながら、搬送路に詰まったシートが搬送路を形成するガイド部材に貼り付いている場合、搬送路に配置されたローラ対を構成するローラの一方を他方から離間させたり、ローラ対のニップ圧を小さくしたりしても、詰まったシートを外部に取り出すことは困難である。なぜなら、詰まったシートがガイド部材に貼り付いているために、ユーザが当該シートを把持することが困難であるからである。
【０００６】
本発明は、上記問題に鑑みてなされたものであり、その目的は、内部で詰まったシートを容易に取り出すことのできる装置を提供することにある。
【課題を解決するための手段】
【０００７】
(1)  本発明に係る搬送装置は、シートが搬送される搬送路の少なくとも一部を形成する第１ガイド部材と、上記第１ガイド部材と対向して配置されており、上記搬送路の少なくとも一部を形成する第２ガイド部材と、上記搬送路に配置されており、シートを挟持して搬送するローラ対であって、当該ローラ対を構成するローラの一方が他方を押圧する第１状態、及び上記ローラの一方の他方に対する押圧力が上記第１状態のときよりも小さいまたは上記ローラの一方が他方から離間している第２状態に状態変化可能なローラ対を有する搬送部と、上記ローラ対を上記第１状態とする第１位置、及び上記ローラ対を上記第２状態とする第２位置の間で移動可能な可動部材と、を備える。上記可動部材は、上記搬送部と当接して、上記ローラ対を上記第１状態及び上記第２状態に状態変化させる当接部と、上記第１位置において上記第１ガイド部材の少なくとも一部を形成しており、上記第２位置において上記第１位置のときよりも上記第２ガイド部材から離間するガイド部と、を備える。
【０００８】
本構成によれば、第１ガイド部材の一部を形成するガイド部は、第２位置において第１位置のときよりも第２ガイド部材から離間している。これにより、シートが第１ガイド部材に貼り付いた状態で詰まっていたとしても、可動部材が第１位置から第２位置へ移動されることにより、当該シートは、ガイド部が形成された位置において、貼り付きが解除された状態となる。その結果、ユーザは、貼り付きが解除された位置において詰まったシートを把持することによって、当該シートを容易に取り出すことができる。
【０００９】
(2)  上記当接部は、上記搬送部のうち上記ローラの一方と当接して、上記ローラ対を上記第１状態及び上記第２状態に状態変化させる。
【００１０】
本構成によれば、当接部はローラと直接当接するため、ローラ対をより確実に状態変化させることができる。
【００１１】
(3)  上記第１ガイド部材は、湾曲した上記搬送路の湾曲内側を形成している。上記第２ガイド部材は、湾曲した上記搬送路の湾曲外側を形成しており、上記第１ガイド部材とともに上記搬送路を形成する第３位置、及び上記第３位置よりも上記第１ガイド部材から離間している第４位置に移動可能である。
【００１２】
本構成によれば、湾曲した搬送路を搬送されているシートが搬送路の湾曲内側を形成している第１ガイド部材に貼り付いた状態で詰まった場合であっても、本構成によれば、上記（１）で説明したように、当該シートを容易に取り出すことができる。
【００１３】
また、搬送路の一部が本構成のように湾曲されている場合、可動部材の移動方向とガイド部の第２ガイド部材に対する離間方向とを異なる方向とする構成が、容易に実現可能である。その結果、可動部材が移動されるとガイド部が第２ガイド部材から離間するように可動部材を構成することが容易となる。
【００１４】
(4)  上記第２ガイド部材は、上記第４位置において上記搬送路を開放可能である。
【００１５】
本構成によれば、第２ガイド部材を第４位置に移動させることによって、搬送路に詰まったシートを容易に取り出すことができる。
【００１６】
(5)  上記ガイド部は、シートの搬送向きと直交する幅方向における上記第１ガイド部材の両端部を形成している。
【００１７】
本構成によれば、可動部材を第１ガイド部材の幅方向の全域に亘って設ける必要がないため、可動部材を小型化できる。
【００１８】
(6)  上記当接部は、上記可動部材の移動方向と交差する傾斜面を有する。
【００１９】
本構成によれば、可動部材の当接部を傾斜面にするという簡易な方法によって、ローラ対の状態変化を実現することができる。
【００２０】
(7)  本発明に係る画像記録装置は、上記搬送装置と、上記搬送路を搬送されるシートに画像を記録する記録部と、上記記録部を支持する支持フレームと、上記支持フレームの下方にシートの搬送向きと直交する幅方向において対向して設けられており、上記支持フレームを支持する一対のサイドフレームと、上記サイドフレームの下方に設けられており、上記サイドフレームを支持するメインフレームと、を備える。上記可動部材は、上面を上記支持フレームによって位置決めされ、側面を上記サイドフレームによって位置決めされ、下面を上記メインフレームによって位置決めされ、上記メインフレームに沿って移動する。
【００２１】
本構成によれば、可動部材が３方向において位置決めされているため、可動部材の位置決め精度を高くすることができる。ここで、位置決めとは、可動部材の上面、側面、及び下面が各フレームと当接することによって、可動部材の位置が定まること、或いは、可動部材の上面、側面、及び下面が各フレームと所定の間隔を空けるように可動部材が配置されることによって、可動部材の位置が当該所定の間隔の範囲に定まることである。なお、可動部材は、ある面においてフレームと当接する一方、別の面においてフレームと所定の間隔を空けて配置されてもよい。
【００２２】
(8)  上記サイドフレーム及び上記メインフレームは、上記幅方向における上記ガイド部と同位置において締結手段によって固定されている。
【００２３】
本構成によれば、サイドフレームとメインフレームとの固定は、幅方向におけるガイド部と同位置において行われている。そのため、サイドフレームとメインフレームとの固定のためのみに、幅方向のスペースは不要である。その結果、画像記録装置を幅方向において小型化することができる。
【００２４】
(9)  上記ローラ対は、上記搬送路に沿って複数配置されている。上記可動部材は、複数の上記ローラ対のそれぞれを上記第１状態及び上記第２状態に状態変化させるものである。
【００２５】
本構成によれば、画像記録装置にローラ対が複数配置されている場合であっても、可動部材を移動させて各ローラ対のニップ圧を変化させることによって、詰まったシートを容易に取り出すことができる。
【００２６】
(10)  本発明に係る画像記録装置は、上記搬送路へ給送されるシートを支持し且つ当該画像記録装置に対して挿抜可能なトレイと、上記トレイを収容可能な収容部と、当該画像記録装置の外部から上記収容部へ通じる開口と、を更に備える。上記可動部材は、移動方向における上記開口側の端部に上記収容部に対して露出された状態で設けられ且つ移動のために上記開口からアクセスされて把持される把持部を備える。
【００２７】
本構成によれば、把持部を把持することによって可動部材を容易に移動させることができる。
【発明の効果】
【００２８】
本発明によれば、装置の内部で詰まったシートが搬送路を形成するガイド部材に貼り付いた状態であっても、当該シートを容易に取り出すことができる。
【図面の簡単な説明】
【００２９】
【図１】図１は、本発明の実施形態の一例である複合機１０の斜視図である。
【図２】図２は、プリンタ部１１の内部構造を模式的に示す縦断面図である。
【図３】図３（Ａ）は、メインフレーム７４とガイドレール５６、５７との斜視図であり、図３（Ｂ）は、メインフレーム７４とサイドフレーム５５との斜視図である。
【図４】図４は、メインフレーム７４の後側周辺の斜視図であり、（Ａ）には可動部材９０が第１位置の状態が示されており、（Ｂ）には可動部材９０が第２位置の状態が示されている。
【図５】図５は、メインフレーム７４及び可動部材９０の正面図である。
【図６】図６は、可動部材９０の斜視図である。
【図７】図７は、メインフレーム７４とメインフレーム７４に取り付けられた各部材の斜視図であり、（Ａ）には可動部材９０が第１位置の状態が示されており、（Ｂ）には可動部材９０が第２位置の状態が示されている。
【図８】図８は、メインフレーム７４とメインフレーム７４に取り付けられた各部材を前方斜め上から見た斜視図である。
【図９】図９は、メインフレーム７４の後側周辺の縦断面図であり、（Ａ）には可動部材９０が第１位置の状態が示されており、（Ｂ）には可動部材９０が第２位置の状態が示されている。
【図１０】図１０は、変形例における可動部材９０とローラ対９７と直線部３４とを示す図であり、（Ａ）には可動部材９０が第１位置のときを模式的に示す左側面図が示されており、（Ｂ）には可動部材９０が第２位置のときを模式的に示す左側面図が示されており、（Ｃ）には可動部材９０が第１位置のときを模式的に示す平面図が示されており、（Ｄ）には可動部材９０が第２位置のときを模式的に示す平面図が示されている。
【発明を実施するための形態】
【００３０】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００３１】
［複合機１０の全体構造］
図１に示されるように、複合機１０（本発明の画像記録装置の一例）は、薄型の直方体に概ね形成されており、下部にプリンタ部１１が設けられている。複合機１０は、ファクシミリ機能及びプリント機能などの各種の機能を有している。複合機１０は、プリント機能として、インクジェット方式で記録用紙１２（図２参照）の片面に画像を記録する機能を有している。なお、複合機１０は、記録用紙１２の両面に画像を記録するものであってもよい。また、記録用紙１２に画像を記録する方式は、インクジェット方式に限らず、電子写真方式などの他の方式であってもよい。また、プリント機能以外の機能の有無は任意である。複合機１０には、搬送装置が設けられている。搬送装置は、記録用紙１２を複合機１０の内部において搬送させる装置であって、後述する各ガイド部材１８、１９、搬送部８０、及び可動部材９０を備える。
【００３２】
［メインフレーム７４及びサイドフレーム５５］
プリンタ部１１は、メインフレーム７４（図３（Ｂ）参照）と、メインフレーム７４に取り付けられる一対のサイドフレーム５５（図３（Ｂ）参照）と、メインフレーム７４を覆うように取り付けられる外装カバー１４（図１参照）とを備えている。
【００３３】
本実施形態において、メインフレーム７４は、樹脂によって一体成形されている。なお、メインフレーム７４は、樹脂以外の材質、例えば金属によって構成されていてもよいし、一体成形されていなくてもよい。図３（Ｂ）に示されるように、メインフレーム７４は、前上部７５と、前上部７５の右側に前上部７５と接合された右側部７６と、前上部７５の左側に前上部７５と接合された左側部７７と、前上部７５の後方に配置された後上部７９とを備えている。後上部７９は、右端を右側部７６と接合され、左端を左側部７７と接合されている。
【００３４】
一対のサイドフレーム５５は、メインフレーム７４の上側に取り付けられている。詳細には、一対のサイドフレーム５５は、後上部７９の右端部及び左端部の上面に、左右方向９（本発明の幅方向の一例）において互いに対向して取り付けられている。本実施形態において、サイドフレーム５５は金属製であるが、金属以外、例えば樹脂製であってもよい。また、サイドフレーム５５は、概ね９０度に屈曲した板状の部材である。つまり、サイドフレーム５５は、後上部７９に取り付けられた状態において、前後方向８及び左右方向９に拡がる板状の底部８１と、底部８１から上向きに立設されており上下方向７及び前後方向８に拡がる板状の側部８２とを備えている。
【００３５】
底部８１には、孔が形成されている。また、サイドフレーム５５がメインフレーム７４に取り付けられた状態において、後上部７９における底部８１の孔と同位置にも、孔が形成されている。そして、底部８１の孔と後上部７９の孔とにビス８３が挿入されることによって、サイドフレーム５５は、メインフレーム７４に固定される。以上より、底部８１の孔、後上部７９の孔、及びビス８３は、本発明の締結手段の一例である。
【００３６】
なお、図４に示されるように、サイドフレーム５５の底部８１の上面には、後述する可動部材９０のガイド部９１が支持される。つまり、サイドフレーム５５とメインフレーム７４とは、左右方向９におけるガイド部９１と同位置においてビス８３によって固定されている。
【００３７】
［給送トレイ２０］
図１、図５、及び図８に示されるように、プリンタ部１１の正面には、開口１３が形成されている。図３（Ｂ）及び図５に示されるように、プリンタ部１１における開口１３の奥側には、メインフレーム７４の前上部７５、右側部７６、及び左側部７７によって区画された空間である収容部７８が形成されている。つまり、収容部７８は、複合機１０の外部から開口１３を介してアクセス可能な空間である。換言すると、開口１３は、プリンタ部１１の外部から収容部７８へ通じる経路上に形成されている。
【００３８】
図１に示されるように、各種サイズの記録用紙１２を支持可能な給送トレイ２０が、プリンタ部１１を介して後向きに移動することによって、開口１３を介して収容部７８に収容可能である。つまり、給送トレイ２０は、プリンタ部１１に対して前後方向８に挿抜可能である。給送トレイ２０は、上方が開放された箱形状の部材であり、その底面に記録用紙１２が支持される。なお、給送トレイ２０の前側且つ上側には、排出トレイ２１が支持されている。排出トレイ２１は、給送トレイ２０と一体に移動する。排出トレイ２１には、後述する記録部２４によって画像を記録された記録用紙１２が排出される。
【００３９】
［給送部１６］
図２に示されるように、給送部１６は、収容部７８に収容された給送トレイ２０の上方であって後述する記録部２４の下方に設けられている。給送部１６は、給送ローラ２５、給送アーム２６、及び駆動伝達機構２７とを備えている。給送ローラ２５は、給送アーム２６の先端部で軸支されている。給送アーム２６は、基端部に設けられた支軸２８を中心として、矢印２９の方向に回動する。これにより、給送ローラ２５は、給送トレイ２０または当該給送トレイ２０に支持された記録用紙１２に対して、当接及び離間が可能である。
【００４０】
給送ローラ２５は、複数のギヤが噛合されてなる駆動伝達機構２７によって、搬送用モータ（不図示）の駆動力が伝達されて回転する。これにより、給送トレイ２０に載置された記録用紙１２が、後述する搬送路６５へ給送される。なお、給送ローラ２５は、搬送用モータとは別に設けられたモータから駆動力を付与されて回転してもよい。
【００４１】
［搬送路６５］
図２に示されるように、給送トレイ２０の後端部から搬送路６５が延出されている。搬送路６５は、湾曲部３３と直線部３４とを備える。湾曲部３３は、後側を湾曲外側とし前側を湾曲内側として湾曲しつつ延びている。直線部３４は、前後方向８に延びている。
【００４２】
湾曲部３３は、所定間隔を隔てて互いに対向する外側ガイド部材１８（本発明の第２ガイド部材の一例）と内側ガイド部材１９（本発明の第１ガイド部材の一例）とによって形成されている。外側ガイド部材１８は、湾曲部３３の湾曲外側を形成している。内側ガイド部材１９は、湾曲部３３の湾曲内側を形成している。以上より、各ガイド部材１８、１９は、搬送路６５の少なくとも一部を形成している。直線部３４は、記録部２４が配置されている位置では所定間隔を隔てて互いに対向する記録部２４とプラテン４２とによって形成されている。
【００４３】
各ガイド部材１８、１９は、図２における紙面と直交する方向である左右方向９に延設されている。また、図４に示されるように、内側ガイド部材１９の一部、具体的には左右方向９における両端部は、後述する可動部材９０のガイド部９１によって形成されている。
【００４４】
図２に示されるように、給送トレイ２０に支持された記録用紙１２は、湾曲部３３を下方から上方へＵターンするように搬送された後、直線部３４を前後方向８に搬送されて記録部２４に搬送される。記録部２４により画像記録が行われた記録用紙１２は、直線部３４を前後方向８に搬送されて排出トレイ２１に排出される。つまり、記録用紙１２は、図２に一点鎖線の矢印で示される搬送向き１５に沿って搬送される。
【００４５】
外側ガイド部材１８は、以下に詳述するように、メインフレーム７４に回動可能に支持されている。外側ガイド部材１８の下端部における左右方向９の両端に、左右方向９に延びた軸８４が形成されている。本実施形態において、軸８４は、当該両端から左右方向９の外側に向けて突出した突起である。軸８４は、メインフレーム７４に形成された孔に挿入されている。以上より、外側ガイド部材１８は、図２に実線で示される第３位置と、図２に破線で示されており、第３位置よりも内側ガイド部材１９から離間している第４位置とに回動する。
【００４６】
第３位置の外側ガイド部材１８は、対向する内側ガイド部材１９とともに搬送路６５の湾曲部３３を形成する。一方、外側ガイド部材１８が第４位置のとき、内側ガイド部材１９は、プリンタ部１１の外部に対して露出されている。つまり、外側ガイド部材１８は、第４位置において搬送路６５の湾曲部３３を開放可能である。これにより、複合機１０のユーザは、湾曲部３３に詰まった記録用紙１２を取り出すことができる。
【００４７】
なお、外側ガイド部材１８は、回動以外によって、第３位置及び第４位置に移動してもよい。例えば、外側ガイド部材１８は、メインフレーム７４に対して取り外し可能に構成されており、メインフレーム７４から取り外されることによって第３位置から第４位置に移動し、メインフレーム７４に取り付けられることによって第４位置から第３位置に移動してもよい。
【００４８】
［記録部２４］
図２に示されるように、記録部２４は、直線部３４の上側に設けられている。記録部２４の下側且つ記録部２４と対向する位置には、プラテン４２が設けられている。プラテン４２は、搬送路６５の直線部３４を搬送される記録用紙１２を支持する部材である。記録部２４は、キャリッジ４０と記録ヘッド３８とを備えている。キャリッジ４０は、記録ヘッド３８を搭載して主走査方向である左右方向９へ往復移動する。キャリッジ４０は、２つのガイドレール５６、５７（本発明の支持フレームの一例、図３（Ａ）参照）によって支持されている。２つのガイドレール５６、５７は、前後方向８に間隔を空けて配置されている。キャリッジ４０は、２つのガイドレール５６、５７を跨ぐようにして、２つのガイドレール５６、５７上を左右方向９に摺動可能に設けられている。
【００４９】
図３（Ａ）に示されるように、２つのガイドレール５６、５７は、一対のサイドフレーム５５の上方に配置されており、左右両端部を一対のサイドフレーム５５によって支持されている。２つのガイドレール５６、５７は、ビスなどによって一対のサイドフレーム５５に取り付けられている。
【００５０】
図２に示されるように、記録ヘッド３８は、キャリッジ４０に搭載されている。記録ヘッド３８には、インクカートリッジ（不図示）からインクが供給される。記録ヘッド３８の下面には、ノズル３９が形成されている。キャリッジ４０が左右方向９に移動しているときに、記録ヘッド３８は、ノズル３９からインク滴をプラテン４２に向けて吐出する。これにより、プラテン４２に支持された記録用紙１２に画像が記録される。
【００５１】
［搬送部８０］
搬送部８０は、搬送路６５の直線部３４における記録部２４よりも搬送向き１５の上流側に配置された搬送ローラ対５９（図２参照）と、直線部３４における記録部２４よりも搬送向き１５の下流側に配置された排出ローラ対４４（図２参照）と、ローラホルダ８５（図８及び図９参照）と、シャフト８７（図８及び図９参照）とを備えている。搬送ローラ対５９及び排出ローラ対４４は、本発明のローラ対の一例である。つまり、本発明のローラ対は、搬送路６５に沿って複数配置されている。
【００５２】
図２に示されるように、搬送ローラ対５９は、直線部３４の下側に配置された搬送ローラ６０と、直線部３４の上側に搬送ローラ６０と対向して配置されたピンチローラ６１とを備えている。ピンチローラ６１は、後述するコイルばね７３（図８参照）によって搬送ローラ６０のローラ部３６を押圧している。なお、ピンチローラ６１は、コイルばね以外の弾性部材によってローラ部３６に圧接してもよい。排出ローラ対４４は、直線部３４の下側に配置された排出ローラ６２と、直線部３４の上側に排出ローラ６２と対向して配置された拍車６３とを備えている。拍車６３は、弾性部材（不図示）によって排出ローラ６２のローラ部６７を押圧している。
【００５３】
搬送ローラ６０及び排出ローラ６２は、搬送用モータ（不図示）から駆動力が伝達されて回転する。搬送ローラ対５９に記録用紙１２が挟持されている状態で搬送ローラ６０が回転すると、当該記録用紙１２は、搬送ローラ対５９によってプラテン４２上に、つまり搬送向き１５に搬送される。また、排出ローラ対４４に記録用紙１２が挟持されている状態で排出ローラ６２が回転すると、当該記録用紙１２は、排出ローラ対４４によって搬送向き１５に搬送される。
【００５４】
図８に示されるように、搬送ローラ６０は、左右方向９に延びた軸３５と、当該軸３５を覆うように取り付けられたローラ部３６とを備えている。搬送ローラ６０は、左右両端部において、一対のサイドフレーム５５に回転可能に支持されている。
【００５５】
ピンチローラ６１は、左右方向９に間隔を空けて複数設けられている。本実施形態では、４つのピンチローラ６１Ａ〜６１Ｄが設けられている。図８及び図９に示されるように、各ピンチローラ６１は、ローラホルダ８５によって回転可能に支持されている。本実施形態では、各ピンチローラ６１に対応した４つのローラホルダ８５Ａ〜８５Ｄが設けられている。
【００５６】
図９に示されるように、ローラホルダ８５は、前端部８８においてピンチローラ６１を回転可能に支持しており、後端部８９においてガイドレール５６に取り付けられている。ローラホルダ８５は、後端部８９を中心として前端部８８において上下方向７に撓むことが可能に構成されている。ローラホルダ８５の上側にはコイルばね７３（図８参照）が取り付けられている。当該コイルばね７３は、下端部をローラホルダ８５に取り付けられており、上端部をガイドレール５６に取り付けられている。以上より、ローラホルダ８５の前端部８８は、搬送ローラ６０とピンチローラ６１とによって挟持される記録用紙１２の厚みに応じて、当該記録用紙１２に押されることにより上向きに撓む。
【００５７】
図９に示されるように、ローラホルダ８５には、左右方向９に穿たれた孔８６が形成されている。図８及び図９に示されるように、当該孔８６には左右方向９に延びたシャフト８７が挿通されている。図７に示されるように、シャフト８７は、その左右両端部において、後述する可動部材９０に支持されており、後述するように当該可動部材９０の移動に連動して上下方向７に移動する。
【００５８】
ピンチローラ６１が搬送ローラ６０のローラ部３６を押圧している状態において、シャフト８７が上向きに移動すると、ローラホルダ８５がシャフト８７に押されることにより、ローラホルダ８５の前端部８８がコイルばね７３の付勢力に抗って上向きに撓む。これにより、ローラホルダ８５に支持されたピンチローラ６１が上向きに移動する。その結果、搬送ローラ対５９を構成するローラの一方であるピンチローラ６１は、図９（Ｂ）に示されるように、搬送ローラ対５９を構成するローラの他方である搬送ローラ６０のローラ部３６から離間する。このときの搬送ローラ対５９の状態が第２状態である。
【００５９】
一方、ピンチローラ６１が搬送ローラ６０のローラ部３６から離間した状態において、シャフト８７が下向きに移動すると、シャフト８７がローラホルダ８５の孔８６の上縁から離間することでローラホルダ８５にかかるコイルばね７３の付勢力によって、ローラホルダ８５が下向きに撓む。これにより、ローラホルダ８５に支持されたピンチローラ６１が下向きに移動する。その結果、搬送ローラ対５９を構成するローラの一方であるピンチローラ６１は、コイルばね７３の付勢力によって、図９（Ａ）に示されるように、搬送ローラ対５９を構成するローラの他方である搬送ローラ６０のローラ部３６を押圧する。このときの搬送ローラ対５９の状態が第１状態である。以上より、搬送ローラ対５９は、第１状態及び第２状態に状態変化可能である。
【００６０】
図７に示されるように、排出ローラ６２は、左右方向９に延びた軸６４と、当該軸６４を覆うように取り付けられた複数のローラ部６７とを備えている。ローラ部６７は、左右方向９に間隔を空けて軸６４に取り付けられている。軸６４は、左右両端部において、一対のサイドフレーム５５に回転可能に支持されている。また、軸６４は、後述する可動部材９０に形成された開口７２（図６参照）を挿通している。そして、軸６４は、後述するように当該可動部材９０の移動に連動して上下方向７に移動する。
【００６１】
図２に示されるように、拍車６３は、左右方向９に延びた軸６８に取り付けられている。軸６８には、複数の拍車６３が左右方向９に間隔を空けて取り付けられている。各拍車６３は、複数のローラ部６７の各々と対応して設けられている。軸６８は、左右両端部において、一対のサイドフレーム５５に回転可能且つ上下方向７に移動可能に支持されている。
【００６２】
排出ローラ６２のローラ部６７が拍車６３に押圧された状態において、排出ローラ６２の軸６４が下向きに移動すると、排出ローラ６２のローラ部６７は、拍車６３から離間する。一方、排出ローラ６２のローラ部６７が拍車６３から離間した状態において、排出ローラ６２の軸６４が上向きに移動すると、排出ローラ６２のローラ部６７は、拍車６３によって押圧された状態となる。
【００６３】
［可動部材９０］
図７に示されるように、可動部材９０は、サイドフレーム５５の底部８１の上面（図３（Ｂ）参照）に支持されている。可動部材９０は、一対のサイドフレーム５５の各々に対応して一対として設けられている。右側の可動部材９０は、右側のサイドフレーム５５の側部８２の左側に設けられており、左側の可動部材９０は、左側のサイドフレーム５５の側部８２の右側に設けられている。
【００６４】
可動部材９０は、サイドフレーム５５に支持された状態において、その下面がサイドフレーム５５の底部８１と当接しており、その側面がサイドフレーム５５の側部８２と当接しており、その上面がガイドレール５６、５７の下面と当接している。ここで、上述したようにサイドフレーム５５はメインフレーム７４によって支持且つ固定されている。以上より、可動部材９０は、上面をガイドレール５６、５７によって位置決めされ、側面をサイドフレーム５５によって位置決めされ、下面をメインフレーム７４によって位置決めされている。つまり、可動部材９０の上下方向７及び左右方向９における位置が定まる。なお、可動部材９０の上面及び側面は、ガイドレール５６、５７及びサイドフレーム５５の側部８２との間に間隔があってもよい。この場合、可動部材９０の位置が当該間隔の範囲に定まる。
【００６５】
可動部材９０は、サイドフレーム５５の底部８１の上面に沿って、換言するとメインフレーム７４におけるサイドフレーム５５を固定している面に沿って、前後方向８に移動可能である。可動部材９０は、図４（Ａ）に示される第１位置、及び当該第１位置よりも前側であり図４（Ｂ）に示される第２位置の間で移動可能である。
【００６６】
図６に示されるように、可動部材９０は、前後方向８及び左右方向９に拡がる板状であって前後方向８の長さが左右方向９の長さよりも長い第１板部９４と、当該第１板部９４の前端部及び後端部から上向きに立設された第２板部９５とを備えている。また、可動部材９０は、第２板部９５に形成された当接部９３と、第１板部９４の後端部に形成されたガイド部９１と、第１板部９４の前端部、つまり可動部材９０の移動方向における開口１３（図５参照）側の端部から左右方向９におけるプリンタ部１１の中央側に延びた把持部９２とを備える。
【００６７】
当接部９３は、下側からシャフト８７と当接することでシャフト８７を支持する第１当接部９３Ａと、上側から軸６４と当接する第２当接部９３Ｂとを備えている。当接部９３は、可動部材９０の移動方向である前後方向８と交差する傾斜面である。詳細には、第１当接部９３Ａは、前側が後側よりも下方である傾斜面であり、第２当接部９３Ｂは、前側が後側よりも上方である傾斜面である。また、当接部９３は、第１当接部９３Ａの前側において第１当接部９３Ａと連続しており、可動部材９０が第１位置のときにシャフト８７を支持する第１水平面９３Ｃと、第１当接部９３Ａの後側において第１当接部９３Ａと連続しており、可動部材９０が第２位置のときにシャフト８７を支持する第２水平面９３Ｄとを備えている。以上より、当接部９３は、搬送部８０と当接する。
【００６８】
ガイド部９１には、内側ガイド部材１９における記録用紙１２の当接面１７（図２〜図４参照）と概ね同じように湾曲した湾曲面９６が形成されている。ガイド部９１の湾曲面９６は、可動部材９０が第１位置において内側ガイド部材１９の少なくとも一部を形成している。詳述すると、本実施形態では、図４（Ａ）に示されるように、右側の可動部材９０のガイド部９１の湾曲面９６は、可動部材９０が第１位置のときに、内側ガイド部材１９の右側に位置している。一方、図４（Ａ）では隠れて見えないが、左側の可動部材９０のガイド部９１の湾曲面９６は、可動部材９０が第１位置のときに、内側ガイド部材１９の左側に位置している。そして、ガイド部９１の湾曲面９６は、内側ガイド部材１９の当接面１７と左右方向９において隣接しており、当該当接面１７及び外側ガイド部材１８とともに搬送路６５の湾曲部３３を形成している。以上より、ガイド部９１の湾曲面９６は、搬送向き１５と直交する左右方向９における内側ガイド部材１９の両端部を形成している。
【００６９】
図５に示されるように、把持部９２は、右側の可動部材９０の第１板部９４から左側に延びており、左側の可動部材９０の第１板部９４から右側に延びている。把持部９２は、収容部７８に対して露出された状態で設けられている。これにより、複合機１０のユーザは、開口１３から収容部７８にアクセスして把持部９２を把持することによって、可動部材９０を前後方向８に移動させることができる。
【００７０】
［可動部材９０の移動］
図４（Ａ）に示されるように、可動部材９０が第１位置に位置しているとき、ガイド部９１の湾曲面９６は左右方向９における内側ガイド部材１９の両端部を形成している。
【００７１】
また、図７（Ａ）に示されるように、可動部材９０が第１位置に位置しているとき、シャフト８７が第１水平面９３Ｃによって支持されている。このとき、ピンチローラ６１（図９（Ａ）参照）は、コイルばね７３（図８参照）の付勢力によって搬送ローラ６０のローラ部３６に圧接されている。また、排出ローラ６２の軸６４は、第２当接部９３Ｂから離間した状態である。このとき、拍車６３は、排出ローラ６２のローラ部６７に圧接されている。以上より、可動部材９０が第１位置に位置しているとき、各ローラ対５９、４４は、第１状態である。
【００７２】
複合機１０がユーザが把持部９２を把持して第１位置に位置する可動部材９０を前向きに引っ張ることによって、可動部材９０が第１位置から前向きに移動すると、シャフト８７は第１水平面９３Ｃから離間して第１当接面９３Ａと当接する。可動部材９０が更に前向きに移動すると、シャフト８７は、第１当接面９３Ａにガイドされることによって、上向きに移動する。可動部材９０が更に前向きに移動して第２位置に到達した状態において、シャフト８７は、図７（Ｂ）に示されるように、第１当接面９３Ａから離間して第２水平面９３Ｄに支持された状態となる。このとき、図９（Ｂ）に示されるように、ピンチローラ６１は、搬送ローラ６０のローラ部３６から離間している。
【００７３】
また、可動部材９０が第１位置から前向きに移動すると、排出ローラ６２の軸６４は、第２当接部９３Ｂと当接する。可動部材９０が更に前向きに移動すると、軸６４は、第２当接部９３Ｂに上側から押されることによって、下向きに移動する。可動部材９０が更に前向きに移動して第２位置に到達した状態において、軸６４は、図７（Ｂ）に示されるように、第２当接部９３Ｂの後端部、つまり最も下方に位置する部分と当接した状態となる。このとき、排出ローラ６２は、拍車６３から離間している。以上より、可動部材９０が第２位置に位置しているとき、各ローラ対５９、４４は、第２状態である。
【００７４】
また、可動部材９０が第１位置から前向きに移動して第２位置に位置した状態になると、図４（Ｂ）に示されるように、ガイド部９１の湾曲面９６は、内側ガイド部材１９の当接面１７よりも前方に位置した状態となる。つまり、可動部材９０が第２位置のとき、ガイド部９１は、可動部材９０が第１位置のときよりも外側ガイド部材１８から離間する。
【００７５】
複合機１０のユーザが把持部９２を把持して第２位置に位置する可動部材９０を後向きに押すことによって、可動部材９０が第２位置から第１位置に移動すると、シャフト８７は、第２水平面９３Ｄから第１当接面９３Ａを経て第１水平面９３Ｃに支持された状態となる。また、軸６４は、第２当接面９３Ｂから離間した状態となる。つまり、各ローラ対５９、４４は、第２状態から第１状態に状態変化する。また、ガイド部９１は、図４（Ｂ）に示される状態から図４（Ａ）に示されるように湾曲面９６が左右方向９における内側ガイド部材１９の両端部を形成した状態となる。
【００７６】
以上より、可動部材９０は、複数のローラ対５９、４４のそれぞれを第１状態及び第２状態に状態変化させるものである。また、可動部材９０の当接部９３は、搬送部８０を構成するシャフト８７及び軸６４と当接することによって、各ローラ対５９、４４を第１状態及び第２状態に状態変化させるものである。また、可動部材９０の当接部９３は、搬送部８０を構成するローラの一方である排出ローラ６２の軸６４と当接して、排出ローラ対４４を第１状態及び第２状態に状態変化させるものである。
【００７７】
［実施形態の効果］
本実施形態によれば、内側ガイド部材１９の一部を形成するガイド部９１は、第２位置において第１位置のときよりも外側ガイド部材１８から離間している。これにより、記録用紙１２が内側ガイド部材１９に貼り付いた状態で詰まっていたとしても、可動部材９０が第１位置から第２位置へ移動することにより、当該記録用紙１２は、ガイド部９１が形成された位置において、貼り付きが解除された状態となる。その結果、ユーザは、貼り付きが解除された位置において詰まった記録用紙１２を把持することによって、当該記録用紙１２を容易に取り出すことができる。
【００７８】
また、本実施形態によれば、当接部９３Ｂは排出ローラ６２の軸６４と他の部材を介さずに直接当接するため、排出ローラ対４４をより確実に状態変化させることができる。
【００７９】
また、本実施形態によれば、搬送路６５の湾曲部３３を搬送されている記録用紙１２が湾曲部３３の湾曲内側を形成している内側ガイド部材１９に貼り付いた状態で詰まった場合であっても、本実施形態によれば、上述したように、当該記録用紙１２を容易に取り出すことができる。
【００８０】
また、搬送路６５の一部が本実施形態の構成のように湾曲されている場合、可動部材９０の移動方向とガイド部９１の外側ガイド部材１８に対する離間方向とを異なる方向とする構成が、容易に実現可能である。その結果、可動部材９０が移動されるとガイド部９１が外側ガイド部材１８から離間するように可動部材９０を構成することが容易となる。
【００８１】
また、本実施形態によれば、外側ガイド部材１８を第４位置に移動させることによって、搬送路６５の湾曲部３３に詰まった記録用紙１２を容易に取り出すことができる。
【００８２】
また、本実施形態によれば、可動部材９０を内側ガイド部材１９の左右方向９の全域に亘って設ける必要がないため、可動部材９０を小型化できる。
【００８３】
また、本実施形態によれば、可動部材９０の当接部９３を傾斜面にするという簡易な方法によって、ローラ対の状態変化を実現することができる。
【００８４】
また、本実施形態によれば、可動部材９０が３方向（上側、下側、及び左側または右側）において位置決めされているため、可動部材９０の位置決め精度を高くすることができる。ここで、位置決めとは、可動部材９０の上面、側面、及び下面が各フレーム５５、７４と当接することによって、可動部材９０の位置が定まること、或いは、可動部材９０の上面、側面、及び下面が各フレーム５５、７４と所定の間隔を空けるように可動部材９０が配置されることによって、可動部材９０の位置が当該所定の間隔の範囲に定まることである。なお、可動部材９０は、ある面においてフレーム５５、７４と当接する一方、別の面においてフレーム５５、７４と所定の間隔を空けて配置されてもよい。
【００８５】
また、本実施形態によれば、サイドフレーム５５とメインフレーム７４との固定は、左右方向９におけるガイド部９１と同位置において行われている。そのため、サイドフレーム５５とメインフレーム７４との固定のためのみに、左右方向９のスペースは不要である。その結果、複合機１０を左右方向９において小型化することができる。
【００８６】
また、本実施形態によれば、複合機１０にローラ対が複数配置されている場合であっても、可動部材９０を移動させて各ローラ対５９、４４のニップ圧を変化させることによって、詰まった記録用紙１２を容易に取り出すことができる。
【００８７】
また、本実施形態によれば、把持部９２を把持することによって可動部材９０を容易に移動させることができる。
【００８８】
［変形例］
上述の実施形態では、第２状態でローラ対５９、４４を構成するローラの一方が他方から離間したが、第２状態でローラ対５９、４４を構成するローラの一方の他方に対する押圧力が第１状態のときよりも小さくてもよい。例えば、ローラの一方がコイルばねによってローラの他方を押圧している場合、第２状態におけるコイルばねの長さが、第１状態におけるコイルばねの長さよりも長く且つ自然長よりも短くなるように、コイルばねを選定及び配置すればよい。
【００８９】
上述の実施形態では、ピンチローラ６１及び排出ローラ６２が移動したが、搬送ローラ６０及び拍車６３が移動してもよいし、各ローラ対５９、４４を構成するローラの双方が互いに接離するように移動してもよい。
【００９０】
上述の実施形態では、各ローラ対５９、４４を構成するローラ（ピンチローラ６１及び排出ローラ６２）が上下方向７に移動したが、ローラ対５９、４４を第１状態及び第２状態に状態変化させるのであれば、各ローラ対５９、４４を構成するローラは、上下方向７以外、例えば前後方向８に移動してもよい。
【００９１】
上述の実施形態では、ピンチローラ６１は、シャフト８７及びローラホルダ８５を介して間接的に可動部材９０によって状態変化させられていた。しかし、ピンチローラ６１は、その軸が可動部材９０の当接部９３と当接することによって直接的に可動部材９０によって状態変化させられてもよい。なお、この場合、ピンチローラ６１の軸は、排出ローラ６２の軸６４と同様に１本であることが望ましい。また、上述の実施形態では、排出ローラ６２は、軸６４が可動部材９０の当接部９３と当接することによって直接的に可動部材９０によって状態変化させられていたが、シャフト８７のような部材を介して間接的に可動部材９０に状態変化させられてもよい。
【００９２】
上述の実施形態では、ガイド部９１は、内側ガイド部材１９の左右両端部を形成していたが、内側ガイド部材１９の左右両端部に限らない。例えば、内側ガイド部材１９の左右方向９における中央部を形成していてもよいし、内側ガイド部材１９の代わりとして湾曲部３３の湾曲内側の全てを形成していてもよい。また、ガイド部９１は、内側ガイド部材１９の少なくとも一部を形成していたが、内側ガイド部材１９以外のガイド部材の少なくとも一部を形成していてもよい。
【００９３】
例えば、記録部２４が配置されていない位置において直線部３４の上側及び下側を形成する上側ガイド部材３１及び下側ガイド部材３２がプリンタ部１１に設けられている場合、図１０に示されるように、可動部材９０が、下側ガイド部材３２の左右両端部に配置されており、前後方向８に対して傾斜した方向に移動可能であるものであってもよい。この場合、ローラ対９７を構成する一方のローラ９８の軸９９は、可動部材９０に形成された前後方向８に長い長孔１００に挿通される。そして、図１０（Ａ）及び図１０（Ｃ）に示される状態から、可動部材９０が矢印１０１の向きに移動すると、ガイド部９１は上下方向７において下方に移動する（図１０（Ｂ）及び図１０（Ｄ）参照）。その結果、ローラ９８は、ローラ対９７を構成する他方のローラ１０２から離間する。なお、図１０（Ｂ）及び図１０（Ｄ）において、ローラ対９７は省略されている。
【００９４】
上述の実施形態では、ローラ対は、搬送路６５に沿って２つ（搬送ローラ対５９及び排出ローラ対４４）配置されていたが、ローラ対は、１つだけ配置されていてもよいし、３つ以上配置されていてもよい。そして、これらのローラ対の少なくとも１つが、可動部材９０によって第１状態及び第２状態に状態変化されてもよい。
【００９５】
上述の実施形態では、当接部９３は、第１当接部９３Ａ、第１水平面９３Ｃ、及び第２水平面９３Ｄを備えており、可動部材９０の位置に関わらず、シャフト８７と当接して支持していたが、当接部９３は、このような構成に限らない。例えば、当接部９３は、可動部材９０が第１位置と第２位置との間を移動しているときだけシャフト８７やローラの軸と当接してこれらを支持してもよい。なお、この場合、シャフト８７やローラの軸は、第１位置及び第２位置において可動部材９０以外の部材、例えばサイドフレーム５５によって支持される。
【００９６】
上述の実施形態では、当接部９３は傾斜面であったが傾斜面でなくてもよい。例えば、当接部９３は、図１０（Ａ）、（Ｂ）に示されるような水平面に構成されていてもよい。
【符号の説明】
【００９７】
１０：複合機
１２：記録用紙
１８：外側ガイド部材
１９：内側ガイド部材
４４：排出ローラ対
５９：搬送ローラ対
８０：搬送部
９０：可動部材
９１：ガイド部
９３：当接部
【図１】
2014156325.tif 000003
【図２】
2014156325.tif 000004
【図３】
2014156325.tif 000005
【図４】
2014156325.tif 000006
【図５】
2014156325.tif 000007
【図６】
2014156325.tif 000008
【図７】
2014156325.tif 000009
【図８】
2014156325.tif 000010
【図９】
2014156325.tif 000011
【図１０】
2014156325.tif 000012